(57)【要約】【課題】広告情報受信者に対し、車の現在位置を含む位置情報及び広告の詳細情報を配信することが可能となる広告配信システムを提供する。【解決手段】広告配信センタは、広告情報に緯度経度情報及び情報提供者が持つＵＲＬまたはポータルサイト識別子等の関連情報を付加して配信する。これにより、広告配信センタは、広告情報を従来以上に有効に活用させることができ、この結果として情報受信者及び情報提供者の新たな増加が見込め、ビジネスの枠を広げることが可能となる。【選択図】　図１
2004094503.tif 000002
【特許請求の範囲】
【請求項１】
通信網を介して広告発信者に関する情報発信端末及びサーバに接続されるとともに、無線通信網を介して情報受信端末であって車両の現在位置を含む地域の道路地図を表示可能である画像表示部を含むものに接続される広告配信装置であって、
情報発信端末から送信される広告発信者に関する広告情報、宣伝情報その他の広告情報を受信する広告発信者受信部と、
サーバから送信される広告発信者に関する広告情報、宣伝情報その他の広告情報を受信する情報提供者受信部と、
情報発信端末から送信される広告情報及びサーバから送信される広告情報に基づいて、情報受信端末へ送信する広告情報を作成する広告情報作成部と、
情報受信端末に対して広告情報作成部で作成した広告情報を送信するとともに、広告情報の視覚的な表示を情報受信端末に含まれる画像表示部を通じて実行する広告情報表示実行部と、
を含むことを特徴とする、
広告配信装置。
【請求項２】
通信網を介して広告発信者に関する情報発信端末及び広告発信者に関するウエブサイトの属するサーバに接続される広告配信装置に対して、無線通信網を介して接続されるとともに、無線通信網を介してサーバに接続される車両の現在位置を含む地域の道路地図が表示可能とする画像表示部を含む情報受信端末であって、
情報発信端末からの広告発信者に関する広告情報、宣伝情報その他の広告情報及びサーバからの広告発信者に関する広告情報、宣伝情報その他の広告情報に基づいて、広告配信装置で作成した広告情報を広告配信装置から受信する広告配信装置受信部を含むことを特徴とする、
情報受信端末。
【請求項３】
受信した広告情報に基づいて広告発信者に関する予約、購入その他の要求情報を入力するための入力部と、
入力した要求情報を広告発信者に関する情報発信端末及び広告発信者に関するウエブサイトの少なくともいずれか一方に送信する広告発信者送信部と、
を含むことを特徴とする、
請求項２に記載の情報受信端末。
【請求項４】
通信網を介して広告発信者に関する情報発信端末に接続され、かつ、無線通信網を介して情報受信端末であって車両の現在位置を含む地域の道路地図を表示可能である画像表示部を含むものに接続される広告配信装置に対して通信網を介して接続されるとともに、無線通信網を介して情報受信端末に接続される広告発信者に関するウエブサイトの属するサーバであって、
広告配信装置に対して広告発信者に関する広告情報、宣伝情報その他の広告情報を送信する広告配信者送信部と、
情報発信端末からの広告発信者に関する広告情報、宣伝情報その他の広告情報及びサーバからの広告発信者に関する広告情報、宣伝情報その他の広告情報に基づいて広告配信装置で作成されるとともに情報受信端末で受信された広告情報に基づいて、情報受信端末から送信された広告発信者に関する予約、購入その他の要求情報を受信する車両搭乗者受信部と、
を含むことを特徴とする、
サーバ。
【請求項５】
通信網を介して広告発信者に関する情報発信端末及びサーバに接続されるとともに、無線通信網を介して情報受信端末であって車両の現在位置を含む地域の道路地図を表示可能である画像表示部を含むものに接続される広告配信装置であって、広告発信者受信部、情報提供者受信部、広告情報作成部及び広告情報表示実行部を含むものを用いて行なう広告配信者に関する広告配信方法であって、
前記広告発信者受信部が、情報発信端末から送信される広告発信者に関する広告情報、宣伝情報その他の広告情報を受信するステップと、
前記情報提供者受信部が、サーバから送信される広告発信者に関する広告情報、宣伝情報その他の広告情報を受信するステップと、
前記広告情報作成部が、情報発信端末から送信される広告情報及びサーバから送信される広告情報に基づいて、情報受信端末へ送信する広告情報を作成するステップと、
前記広告情報表示実行部が、情報受信端末に対して広告情報作成部で作成した広告情報を送信するとともに、広告情報の視覚的な表示を情報受信端末に含まれる画像表示部を通じて実行するステップと、
を含むことを特徴とする、
広告配信者に関する広告配信方法。
【請求項６】
通信網を介して広告発信者に関する情報発信端末及び広告発信者に関するウエブサイトの属するサーバに接続される広告配信装置に対して、無線通信網を介して接続されるとともに、無線通信網を介してサーバに接続される車両の現在位置を含む地域の道路地図を表示可能である画像表示部を含む車両搭乗者に関する情報受信方法であって、
前記広告配信装置受信部が、情報発信端末からの広告発信者に関する広告情報、宣伝情報その他の広告情報及びサーバからの広告発信者に関する広告情報、宣伝情報その他の広告情報に基づいて、広告配信装置で作成した広告情報を広告配信装置から受信するステップを含むことを特徴とする、
車両搭乗者に関する情報受信方法。
【請求項７】
前記入力部が、受信した広告情報に基づいて広告発信者に関する予約、購入その他の要求情報を入力するためのステップと、
前記広告発信者送信部が、入力した要求情報を広告発信者に関する情報発信端末及び広告発信者に関するウエブサイトの少なくともいずれか一方に送信するステップと、
を含むことを特徴とする、
請求項６に記載の車両搭乗者に関する情報受信方法。
【請求項８】
通信網を介して広告発信者に関する情報発信端末に接続され、かつ、無線通信網を介して情報受信端末であって車両の現在位置を含む地域の道路地図を表示可能である画像表示部を含むものに接続される広告配信装置に対して通信網を介して接続されるとともに、無線通信網を介して情報受信端末に接続される広告発信者に関するウエブサイトの属するサーバの情報提供方法であって、
前記広告配信者送信部が、広告配信装置に対して広告発信者に関する広告情報、宣伝情報その他の広告情報を送信するステップと、
前記車両搭乗者受信部が、情報発信端末からの広告発信者に関する広告情報、宣伝情報その他の広告情報及びサーバからの広告発信者に関する広告情報、宣伝情報その他の広告情報に基づいて広告配信装置で作成されるとともに情報受信端末で受信された広告情報に基づいて、情報受信端末から送信された広告発信者に関する予約、購入その他の要求情報を受信するステップと、
を含むことを特徴とする、
サーバの情報提供方法。
【発明の詳細な説明】
【０００１】
【発明の属する技術分野】
本発明は、広告情報及び広告情報に位置情報、ポータルサイト等の関連情報を付加して配信する広告配信装置、情報受信端末、サーバ、広告配信方法、情報受信方法及びサーバの情報提供方法に関する。
【０００２】
【従来の技術】
従来、広告配信センタは、店舗又は施設等の広告発信者から広告情報を募集し、インターネットを通しＰＣや携帯電話等に配信している。特に、携帯電話やＰＨＳの普及で、情報受信者は、広告配信センタに広告情報の要求を行ない、そして、携帯電話や、ＰＨＳ等でこれらの広告情報をダウンロードしたり又はメール等で受信している。最近はこの携帯電話やＰＨＳを使った形態での広告配信が一般的に広がっており、何時でもどこでも見たいときにアクセスでき、非常に便利になっている。
【０００３】
【発明が解決しようとする課題】
しかし、従来の広告配信センタでは、広告情報を配信することはできても、情報受信者に対し現在位置を含む店舗や施設の広告情報を配信することはできず、特に、車の現在位置を含む地域の道路地図の表示にあわせた広告情報を配信することができないものになっている。一方、車両搭乗者である情報受信者もこのような広告情報を受信することができないものになっている。また、広告配信センタは、広告発信者からの広告情報に加えて広告情報の中に記載してある内容についての詳細情報又は広告主のポータル情報等、広告情報に関する関連情報を付加して配信することができておらず、一方、情報受信者側は、広告情報に関連する詳細情報を含めて受信することができず、せっかくの広告情報が有効に活用できていない状況にある。
【０００４】
本発明は、前記の課題を解決するためになされたものであり、車の現在位置を含む地域の道路地図の表示にあわせ広告情報を配信し、且つ広告情報に関する関連情報を付加して配信することが可能となる広告配信システム及びその方法を提供することを目的としている。
【０００５】
【課題を解決するための手段】
前記課題を解決するために、本発明の広告配信システムは、広告配信装置と情報受信端末と広告関連情報を提供するサーバから構成される。広告配信装置は、通信網を介して広告発信者に関する情報発信端末及びサーバに接続されるとともに、無線通信網を介して情報受信端末であって車両の現在位置を含む地域の道路地図を表示可能である画像表示部を含むものに接続されるものであって、情報発信端末から送信される広告発信者に関する広告情報、宣伝情報その他の広告情報を受信する広告発信者受信部と、サーバから送信される広告発信者に関する広告情報、宣伝情報その他の広告情報を受信する情報提供者受信部と、情報発信端末から送信される広告情報及びサーバから送信される広告情報に基づいて、情報受信端末へ送信する広告情報を作成する広告情報作成部と、情報受信端末に対して広告情報作成部で作成した広告情報を送信するとともに、広告情報の視覚的な表示を情報受信端末に含まれる画像表示部を通じて実行する広告情報表示実行部とから構成されている。
【０００６】
ここで、情報発信端末から送信される広告情報等とは、価格の高い或いは安い、商品の美しさ、使い易さ又は便利さ等を記載した広告情報であり、サーバから送信される広告情報等とは、商品の仕様、形、情報提供者が持つＵＲＬ又はポータルサイトの識別子等を記載した広告情報である。広告情報作成部は、店舗、施設等の広告発信者が入力した広告情報に、緯度経度情報及びこれら広告関連情報のＵＲＬ等の関連情報を付加し、広告情報表示実行部は、情報受信端末に送信する。
【０００７】
また、情報受信端末は、通信網を介して広告発信者に関する情報発信端末及び広告発信者に関するウエブサイトの属するサーバに接続される広告配信装置に対して、無線通信網を介して接続されるとともに、無線通信網を介してサーバに接続される車両の現在位置を含む地域の道路地図が表示可能とする画像表示部を含むものであって、情報発信端末からの広告発信者に関する広告情報、宣伝情報その他の広告情報及びサーバからの広告発信者に関する広告情報、宣伝情報その他の広告情報に基づいて、広告配信装置で作成した広告情報を広告配信装置から受信する広告配信装置受信部から構成されている。
さらに、情報受信端末は、受信した広告情報に基づいて広告発信者に関する予約、購入その他の要求情報を入力するための入力部と、入力した要求情報を広告発信者に関する情報発信端末及び広告発信者に関するウエブサイトの少なくともいずれか一方に送信する広告発信者送信部とから構成されている。
【０００８】
これにより、車両搭乗者である情報受信者は、車の現在位置を含む地域の道路地図の表示にあわせた広告情報を受信できる。また、情報受信者は、広告情報の中に記載してある内容の詳細情報又は広告主のポータル情報等広告情報に関する関連情報を配信することができるようになる。
【０００９】
サーバは、通信網を介して広告発信者に関する情報発信端末に接続され、かつ、無線通信網を介して情報受信端末であって車両の現在位置を含む地域の道路地図を表示可能である画像表示部を含むものに接続される広告配信装置に対して通信網を介して接続されるとともに、無線通信網を介して情報受信端末に接続される広告発信者に関するウエブサイトの属するものであって、広告配信者に関する広告配信装置に対して広告発信者に関する広告情報、宣伝情報その他の広告情報を送信する広告配信者送信部と、情報発信端末からの広告発信者に関する広告情報、宣伝情報その他の広告情報及びサーバからの広告発信者に関する広告情報、宣伝情報その他の広告情報に基づいて広告配信者に関する広告配信装置で作成されるとともに情報受信端末で受信された広告情報に基づいて、情報受信端末から送信された広告発信者に関する予約、購入その他の要求情報を受信する車両搭乗者受信部とから構成されている。
【００１０】
これにより、広告配信センタは、広告発信者からの広告にサーバが持つ関連情報を付加して広く提供することができ、また、情報受信者は、サーバが持つ関連情報の詳細情報を含めて受信することが可能となる。
【００１１】
【発明の実施の形態】
以下、添付図面に基づいて本発明の実施の形態を説明する。
【００１２】
◎広告配信システム
図１は、本発明を適用する広告配信システムの構成図である。図２は、本発明の実施例に係る広告配信装置１１、情報受信端末２１及び情報提供者サーバ３１の構成図を示す。
【００１３】
具体的には、これらは、図４に示すように広告配信者１は広告配信センタとして、情報受信者２は車両搭乗者として、また情報提供者３のサーバ３１はポータルサイトとして実施することができる。車両搭乗者２である受信者が、情報受信端末２１である広告受信端末に事前登録したポータルサイト識別子に基づき広告受信端末が識別子とマッチするポータルサイトにアクセスする実施の形態である。ポータルサイト識別子は、広告受信端末のリンク先のポータルサイトを事前に登録しておき、広告配信時、登録してあるポータルサイトにアクセスできる識別子である。
【００１４】
以下、順に広告配信システムを構成している広告配信装置１１、情報受信端末２１、及び情報提供者サーバ３１について実施の形態に基づき説明する。
【００１５】
〔広告配信装置１１〕
広告配信装置１１は、図１に示すように、携帯電話網５を介して広告発信者４に関する情報発信端末４１及び通信ネットワーク７を介して情報提供者３に関するサーバ３１に接続されるものとして構成されている。
【００１６】
また、広告配信装置１１は、デジタル放送網６を介して車両搭乗者２に関する情報受信端末２１であって車両の現在位置を含む地域の道路地図が表示可能とする画像表示部２１ｂを含むものに接続されている。ここでデジタル放送とは情報受信者へのＰＵＳＨ型情報伝達手段である。
【００１７】
さらに、図２により広告配信装置１１は、広告発信者受信部１１ａ、情報提供者受信部１１ｂ、広告情報作成部１１ｃ及び広告情報表示実行部１１ｄを含むように構成されている。
【００１８】
広告配信装置１１は、中央演算処理装置、主記憶装置、入出力制御部及び各種入出力装置からなっており、また携帯電話網通信部等を備えている（図示せず）。また、広告配信装置１１はデータベース（ＤＢ）としてテキストＣＭ、広告配信時刻管理、情報有効時間管理、電話番号及び課金管理等の広告配信に必要な各種ＤＢから構成されている（図示せず）。
【００１９】
さらに、広告配信装置１１は、主記憶装置又は外部記憶装置にこれら各装置の機能を実現させるためのプログラムが格納されており、これらプログラムが必要に応じて起動している。従って、このようなプログラムには、広告配信装置１１を、広告発信者受信部１１ａ、情報提供者受信部１１ｂ、広告情報作成部１１ｃ及び広告情報表示実行部１１ｄとして機能させるものが含まれている。
【００２０】
本実施の形態では、図１及び図４に示すように、広告配信センタの広告配信装置１１は、広告発信者４に関する情報発信端末４１から広告（ＣＭ）及び広告の配信時間等の広告要求を広告発信者受信部１１ａで受信する機能を持っている。
【００２１】
広告配信装置１１は、車両搭乗者の情報受信端末２１に、広告とこれに付加して位置情報、ポータルサイトが提供したＵＲＬ、及びポータルサイトの識別子をデジタル放送網６を介して広告情報表示実行部１１ｄから配信するようになっている。
【００２２】
また、広告配信装置１１は、情報提供者受信部１１ｂを通して、ポータルサイトから広告主関連ＵＲＬを含む広告情報を受信する機能を持っている。さらに、広告配信センタは、ポータルサイトに課金を行うことができるようになっている。
以下、広告配信装置１１を構成する各部について説明する。
【００２３】
（１）広告発信者受信部１１ａ
広告発信者受信部１１ａは、情報発信端末４１から送信される広告発信者４に関する広告情報、宣伝情報その他の広告情報を受信する役割を果たすものである。
【００２４】
本実施の形態では、図５に示すように、この広告発信者受信部１１ａは、広告発信者４に対するログイン画面の表示を行ない、広告発信者４からのログイン情報を受信する機能を持っており、正しくログインされると認証完了画面を表示することができるようになっている。
【００２５】
また、広告発信者受信部１１ａは、認証完了画面で「次へ」が選択されると、これを受信してメニュー画面を表示し、メニュー画面からのメニューの選択情報を受信することができるようになっている（図６参照）。
【００２６】
広告発信者受信部１１ａは、メニュー画面で「速報ＣＭを流す」が選択されると、速報ＣＭの内容を入力できる速報作成画面を表示し、速報作成画面から入力されたＣＭに関する「配信開始時刻」、「配信終了時刻」及びＣＭのコンテンツ等を受信する機能を持っている（図７参照）。
【００２７】
広告発信者受信部１１ａは、速報作成画面で「次へ」が選択されると、料金に関するＣＭ料金確認画面を表示することができる。ここで「毎日ＣＭを利用していない」場合は速報ＣＭ毎に課金する（図８参照）ことができるし、一方、「毎日ＣＭを利用している」場合は速報ＣＭの料金を無料とすることもできるようになっている（図９参照）。
【００２８】
さらに、広告発信者受信部１１ａは、メニュー画面で「毎日ＣＭを流す」が選択された場合、これを受信し、ＣＭの利用期間を入力できる毎日ＣＭ利用期間登録画面を表示する機能を持っている。この毎日ＣＭ利用期間登録画面で、毎日ＣＭの「利用開始月日」及び「配信時間」を入力することができ、「次へ」が選択されると、ＣＭ料金確認画面を表示するようになっている（図１０、図１１参照）。
【００２９】
さらにまた、広告発信者受信部１１ａは、ＣＭ料金徴収案内画面で「毎日ＣＭ作成」が選択されると、毎日流すＣＭの内容を入力できる毎日ＣＭ作成画面を表示することができるようになっている。そして、広告発信者受信部１１ａは、この画面で入力できるＣＭの「配信開始時刻」、「配信終了時刻」等のほか「施設の状況」、「ＣＭの内容」、「ＵＲＬ」，「電話番号」を受信することができるようになっている（図１２参照）。
【００３０】
広告発信者受信部１１ａは、配信中のＣＭ確認やスケジュール管理のため配信中のＣＭ確認画面及びスケジュール管理の画面も表示することができるようになっている（図１３参照）。
【００３１】
そして、広告発信者受信部１１ａは、このスケジュール管理画面で「速報ＣＭパターン修正・削除」又は「通常パターン修正・削除」が選択されると、ＣＭパターンの更新又は削除を行なうために、広告情報作成部１１ｃにこれらの情報を渡す機能を持っている（図１４参照）。つまり、広告発信者受信部１１ａは、情報発信端末４１からの広告情報を受信すると共に、実際のＣＭ作成に関する情報は広告情報作成部１１ｃに渡す役割を持っているものである。
【００３２】
また、広告発信者受信部１１ａは、図示しないが、当然、ログアウト情報の受信も行なうものである。
【００３３】
（２）情報提供者受信部１１ｂ
情報提供者受信部１１ｂは、情報提供者サーバ３１から送信される広告発信者４に関する広告情報、宣伝情報その他の広告情報を受信する役割を果たすものである。
【００３４】
本実施の形態では、情報提供者受信部１１ｂは、サーバから送信される情報の一つである広告主関連のＵＲＬ及びポータルサイト識別子をポータルサイトから受信する役割を果たしている。
【００３５】
また、情報提供者受信部１１ｂは、広告発信者４から受信したＣＭ情報に付加するため、これら情報を広告情報作成部１１ｃに渡す役割を持っている。
【００３６】
（３）広告情報作成部１１ｃ
広告情報作成部１１ｃは、情報発信端末から送信される広告情報及びサーバから送信される広告情報に基づいて、情報受信端末へ送信する広告情報を作成する役割を果たすものである。
【００３７】
本実施の形態では、図７に示すように、広告情報作成部１１ｃは、広告発信者受信部１１ａを通して、速報作成画面での「配信開始時刻」、「配信終了時刻」等のほか「施設の状況」、「ＣＭの内容」、「ＵＲＬ」及び「電話番号」等の情報を受信し、広告情報を作成することができるようになっている。
【００３８】
また、広告情報作成部１１ｃは、毎日ＣＭ作成画面での「ＣＭの内容」等の入力情報を受信し、広告情報の作成を行なうこともできる（図１２参照）。
【００３９】
さらに、広告情報作成部１１ｃは、ＣＭパターンの修正・削除画面での「ＣＭの内容」等の入力情報を受信し広告情報の作成を行なうこともできる（図１４参照）。
【００４０】
さらにまた、広告情報作成部１１ｃは、情報提供者受信部１１ｂを通して、ポータルサイトからの広告主関連ＵＲＬ及びポータルサイト識別子を受信しＣＭに付加する機能を持っている。
【００４１】
（４）広告情報表示実行部１１ｄ
広告情報表示実行部１１ｄは、情報受信端末２１に対して広告情報作成部１１ｃで作成した広告情報を送信するものである。また、広告情報表示実行部１１ｄは、広告情報の視覚的な表示を情報受信端末２１に含まれる画像表示部２１ｂを通じて実行する役割を果たすものである。
【００４２】
本実施の形態では、図１５に示すように、広告情報表示実行部１１ｄは、広告受信者の情報受信端末２１である広告受信端末の地点情報と地図の表示画面を情報受信端末の画像表示部２１ｂに送信するようになっている。
【００４３】
また、広告情報表示実行部１１ｄは、広告情報作成部１１ｃで作成した「○○商店の概要情報」の広告情報を広告受信端末に送信する機能を持っている（図１６参照）。
【００４４】
さらに、広告情報表示実行部１１ｄは、ポータルサイトから受信した広告主関連ＵＲＬ及びポータルサイト識別子を、同様に広告受信端末に送信する機能も持っている（図１７、図１９参照）。
【００４５】
次に情報受信端末２１を構成する各部について説明する。
【００４６】
〔情報受信端末２１〕
情報受信端末２１は、携帯電話網５を介して広告発信者４に関する情報発信端末４１に接続されている。また、情報受信端末２１は、通信ネットワーク７を介して広告発信者４に関するウエブサイトの属する情報提供者３に関するサーバに接続される広告配信者１に関する広告配信装置１１に対して、デジタル放送網６を介して接続されている。さらに、携帯電話網５を介して情報提供者３に関するサーバに接続される車両の現在位置を含む地域の道路地図を表示可能である画像表示部２１ｂを含んでいる。そして、情報受信端末２１は、広告配信装置受信部２１ａ、要求情報入力部２１ｃ及び広告発信者送信部２１ｄを含むように構成されている。
【００４７】
情報受信端末２１には、プログラムが格納されておりこれらプログラムが、広告配信装置受信部２１ａ、要求情報入力部２１ｃ及び広告発信者送信部２１ｄを機能させ、全体として情報受信端末２１を機能させている。
【００４８】
本実施の形態では、情報受信端末２１は、受信者が事前に登録したポータルサイト識別子のサイトにアクセスすることができる機能を持っている。また、情報受信端末２１は、広告発信者４にかかわる情報取得、購買、予約を行なうことができるようになっている。
【００４９】
（１）広告配信装置受信部２１ａ
広告配信装置受信部２１ａは、情報発信端末４１からの広告発信者４に関する広告情報、宣伝情報その他の広告情報及びサーバからの広告発信者４に関する広告情報、宣伝情報その他の広告情報に基づいて、広告配信装置１１で作成した広告情報を広告配信装置１１から受信する役割を果たすものである。
【００５０】
本実施の形態では、広告配信装置受信部２１ａは、広告受信者の情報受信端末２１である広告受信端末の地点情報と地図の表示画面を、広告配信装置１１の広告情報表示実行部１１ｄから受信するようになっている（図１５参照）。
【００５１】
また、広告配信装置受信部２１ａは、広告情報表示実行部１１ｄからの「○○商店の概要情報」の広告情報を受信する機能を持っている（図１６参照）。
【００５２】
さらに、広告配信装置受信部２１ａは、広告情報表示実行部１１ｄから、広告主関連ＵＲＬ及びポータルサイト識別子を受信する機能も持っている（図１７、図１９参照）。
【００５３】
（２）画像表示部２１ｂ
画像表示部２１ｂは、広告配信装置１１で作成した広告情報を広告配信装置受信部２１ａ経由で受信し、表示する役割を果たすものである。
【００５４】
（３）要求情報入力部２１ｃ
要求情報入力部２１ｃは、受信した広告情報に基づいて広告発信者４に関する予約、購入その他の要求情報を入力する役割を果たすものである。
【００５５】
本実施の形態では、図１８に示すように、要求情報入力部２１ｃは、○○商店予約画面から、予約のための氏名や電話番号を入力することができるようになっている。
【００５６】
また、要求情報入力部２１ｃは、ポータルサイト識別子から自動選択されたポータルサイトのＵＲＬにアクセスすると、同様に、○○商店予約画面が表示され予約のための氏名や電話番号を入力することができるようになっている（図１９参照）。
【００５７】
（４）広告発信者送信部２１ｄ
広告発信者送信部２１ｄは、入力した要求情報を広告発信者４に関する情報発信端末４１及び広告発信者４に関するウエブサイトの少なくともいずれか一方に送信する役割を果たすものである。
【００５８】
本実施の形態では、広告発信者送信部２１ｄは、○○商店予約画面から入力された要求情報をポータルサイトに送信するようになっている（図１８、図１９参照）。
【００５９】
次に情報提供者サーバ３１の各部について説明する。
【００６０】
〔情報提供者サーバ３１〕
情報提供者サーバ３１は、携帯電話網５を介して広告発信者４に関する情報発信端末４１に接続されている。かつ、情報提供者サーバ３１は、デジタル放送網６を介して車両搭乗者２に関する情報受信端末２１であって車両の現在位置を含む地域の道路地図を表示可能である画像表示部２１ｂを含むものに接続される広告配信者１に関する広告配信装置１１に対して通信ネットワーク７を介して接続されている。また、情報提供者サーバ３１は、携帯電話網５を介して車両搭乗者２に関する情報受信端末２１に接続される広告発信者４に関するウエブサイトの属する情報提供者３に関するサーバである。情報提供者サーバ３１は、広告配信者送信部３１ａ及び車両搭乗者受信部３１ｂを含むように構成されている。
【００６１】
情報提供者サーバ３１はポータルサイトを構築するコンピュータ装置でありＵＲＬに対するウエブ画面等のデータベースを有している。また、情報提供者サーバ３１に格納されているプログラムが必要に応じて、これら広告配信者送信部３１ａ及び車両搭乗者受信部３１ｂを機能させている。
【００６２】
情報提供者サーバ３１であるポータルサイトは、これまで述べてきたように、広告配信センタに広告主関連ＵＲＬ、ポータルサイト識別子の提供、また広告配信センタからの課金、さらに、情報受信者２には、広告主のウエブ情報であるポータルサイト情報を提供する機能を持っている。
【００６３】
（１）広告配信者送信部３１ａ
広告配信者送信部３１ａは、広告配信者１に関する広告配信装置１１に対して広告発信者４に関する広告情報、宣伝情報その他の広告情報を送信する役割を果たすものである。
【００６４】
本実施の形態では、図示しないが、広告配信者送信部３１ａは、広告配信装置１１の情報提供者受信部１１ｂへ、広告主関連ＵＲＬ又はポータル識別子等の広告情報の送信を行なう機能を持っている。
【００６５】
（２）車両搭乗者受信部３１ｂ
車両搭乗者受信部３１ｂは、広告情報に基づいて、情報受信端末２１から送信された広告発信者４に関する予約、購入その他の要求情報を受信する役割を果たすものである。なお、広告情報は、情報発信端末４１からの広告発信者４に関する広告情報、宣伝情報その他の広告情報及びサーバからの広告発信者に関する広告情報、宣伝情報その他の広告情報に基づいて広告配信者１に関する広告配信装置１１で作成されるとともに車両搭乗者２に関する情報受信端末２１で受信されるものである。
【００６６】
本実施の形態では、車両搭乗者受信部３１ｂは、情報受信端末２１の広告発信者送信部２１ｄで送信された、○○商店予約画面で入力された予約のための「氏名」、「電話番号」等の情報を受信するものである（図１８、図１９参照）。
【００６７】
次に広告配信システムの広告配信方法、情報受信端末方法及びサーバの情報提供方法の各ステップについて説明する。図３は広告配信装置１１、情報受信端末２１、情報提供者サーバ３１の各々のステップ図である。
【００６８】
〔広告配信方法〕
広告配信方法は、広告発信者受信部１１ａ、情報提供者受信部１１ｂ、広告情報作成部１１ｃ及び広告情報表示実行部１１ｄを含む広告配信者１に関する前記広告配信装置１１を用いて行なう方法である。広告配信方法は、広告発信者受信ステップ、情報提供者受信ステップ、広告情報作成ステップ、広告情報表示実行ステップを含んでいる。
【００６９】
以下、図２０を用いて説明する。広告発信者４は、広告配信者１である広告配信センタに対し、認証手続き、広告配信内容登録及び広告配信期間登録を行なう。
【００７０】
配信センタは、ポータルサイトに関して広告主関連ＵＲＬ添付の意向確認、広告主関連ＵＲＬの受信、また課金手続きを行なう。また、配信センタは、広告受信者に対しては、広告の配信を行なう。
【００７１】
広告受信者は、広告配信センタから配信された広告を受信する。また、ポータルサイトに対して広告関連の情報の要求、又は予約要求、あるいは購入要求を送信する。
【００７２】
ポータルサイトは、広告受信者からの広告関連の情報の要求、又は予約要求、あるいは購入要求を受信し必要な情報を広告受信者に対して送信する。以下、図３を用いて広告配信方法の各ステップについて説明する。なおＳＴ１などのＳＴはステップを表す。
【００７３】
（１）ステップ１
ＳＴ１は、情報発信端末４１から送信される広告発信者４に関する広告情報、宣伝情報その他の広告情報を受信する広告発信者受信ステップである。
【００７４】
本実施の形態では、広告発信者受信ステップは広告発信者４からのログイン認証手続き、広告配信内容登録及び広告配信期間登録を受信するステップである。
【００７５】
（２）ステップ２
ＳＴ２は、情報提供者サーバ３１から送信される広告発信者４に関する広告情報、宣伝情報その他の広告情報を受信する情報提供者受信ステップである。
【００７６】
本実施の形態では、情報提供者受信ステップは、情報提供者３からの広告関連情報、広告主関連ＵＲＬ及びポータル識別子等の受信を行なうステップである。
【００７７】
（３）ステップ３
ＳＴ３は、情報発信端末から送信される広告情報及びサーバから送信される広告情報に基づいて、情報受信端末へ送信する広告情報を作成する広告情報作成ステップである。
【００７８】
本実施の形態では、広告情報作成ステップは、ＣＭの内容等の入力情報を受信し広告情報の作成を行なう。また、広告情報作成ステップは、ポータルサイトからの広告関連情報、広告主関連ＵＲＬ，ポータルサイト識別子を広告に付加し広告を作成するステップでもある。
【００７９】
（４）ステップ４
ＳＴ４は、情報受信端末２１に対して広告情報作成部１１ｃで作成した広告情報を情報受信端末２１に送信する広告情報表示実行ステップである。また、ＳＴ４は、広告情報の視覚的な表示を情報受信端末２１に含まれる画像表示部２１ｂを通じて実行するステップである。
【００８０】
〔情報受信方法〕
情報受信方法は、前に述べたように、車両搭乗者に関する情報受信端末２１を用いて行う方法であり、下記広告配信装置受信ステップ、要求情報入力ステップ、広告発信者送信ステップを含む。
【００８１】
（１）ステップ５
ＳＴ５は、情報発信端末４１からの広告発信者４に関する広告情報、宣伝情報その他の広告情報及びサーバ３１からの広告発信者４に関する広告情報、宣伝情報その他の広告情報に基づいて、広告配信装置１１で作成した広告情報を広告配信装置１１から受信する広告配信装置受信ステップである。広告配信装置受信ステップは、広告情報表示実行ステップから受信した情報を画像表示部２１ｂを通じて表示するステップである。
【００８２】
本実施の形態では、広告配信装置受信ステップは、情報受信端末２１である広告受信端末の地点情報と地図の表示画面を画像表示部を通じて実行するステップである。
【００８３】
また、広告配信装置受信ステップは、広告情報表示実行部１１ｄからの「○○商店の概要情報」の広告を受信するステップである。
【００８４】
さらに、広告配信装置受信ステップは、ポータルサイトからの広告主関連ＵＲＬ及びポータルサイト識別子を広告情報表示実行部１１ｄから受信するステップでもある。
【００８５】
（２）ステップ６
ＳＴ６は、広告配信装置１１で作成した広告情報を広告配信装置受信部２１ａ経由で受信し、表示する画像表示ステップである。
【００８６】
（３）ステップ７
ＳＴ７は、受信した広告情報に基づいて広告発信者４に関する予約、購入その他の要求情報を入力するための要求情報入力ステップである。
【００８７】
本実施の形態では、要求情報入力ステップは、ポータルサイトに対して広告関連の情報の要求、又は予約要求、あるいは購入要求を入力するステップである。
【００８８】
（４）ステップ８
ＳＴ８は、入力した要求情報を広告発信者４に関する情報発信端末４１及び広告発信者４に関するウエブサイトの少なくともいずれか一方に送信する広告発信者送信ステップである。
【００８９】
広告発信者送信ステップは、前記要求情報入力ステップで入力した広告関連の情報、又は予約要求、購入要求をポータルサイトに送信するステップである。
【００９０】
〔サーバの情報提供方法〕
サーバの情報提供方法は、前に述べたように、広告発信者４に関するウエブサイトの属する情報提供者３に関するサーバを用いて行う方法であり、下記広告配信者送信ステップ及び車両搭乗者受信ステップを含む。
【００９１】
（１）ステップ９
ＳＴ９は、広告配信者１に関する広告配信装置１１に対して広告発信者４に関する広告情報、宣伝情報その他の広告情報を送信する広告配信者送信ステップである。
【００９２】
本実施の形態では、広告配信者送信ステップは、広告主関連ＵＲＬ及びポータル識別子を広告配信装置１１の情報提供者受信部１１ｂへ送信するステップである。
【００９３】
（２）ステップ１０
ＳＴ１０は、広告情報に基づいて、情報受信端末２１から送信された広告発信者４に関する予約、購入その他の要求情報を受信する車両搭乗者受信ステップである。
【００９４】
本実施の形態では、車両搭乗者受信ステップは、前記情報受信端末２１の広告発信者送信部２１ｄで送信した広告関連の情報、又は予約要求、購入要求をポータルサイトで受信するステップである。
【００９５】
【発明の効果】
本発明によれば広告配信システムに関し広告配信者である広告配信センタは、情報受信者に対し現在位置を含む店舗や施設の広告情報を配信することができ、また、広告発信者からの広告情報に加え広告情報の中に記載してある内容についての詳細情報又はポータル情報等、広告情報に関する関連情報を配信することができるようになる。また、広告の情報受信者は、情報提供者サーバが持つ広告関連情報の詳細情報を含めて受信することが可能となる。さらに、ポータルサイト等の情報提供者は、広く情報の提供ができ、情報受信者からのアクセスの増加が期待できる。且つポータルサイトの充実により広告情報配信者の期待にこたえられる。さらにまた、広告発信者は、ポータルサイトの情報提供者を活用することになり、自身でシステム等を用意することなく、詳細情報を情報受信者に提供できる等の投資効果が期待できる。
このように広告配信センタは、広告情報の配信のみでなく位置情報及び詳細情報等広告情報を従来以上に有効に活用させることができ、この結果として情報受信者及び情報提供者の新たな増加が見込め、ビジネスの枠を広げることが期待できる。
【図面の簡単な説明】
【図１】広告配信システム構成図である。
【図２】広告配信装置、情報受信端末、情報提供者サーバの各々の構成図である。
【図３】広告配信装置、情報受信端末、情報提供者サーバの各々のステップ図である。
【図４】本実施例に係る広告配信システムの具体例を示す図である。
【図５】ログイン画面及び認証完了画面の具体例を示す図である。
【図６】メニュー画面の具体例を示す図である。
【図７】速報ＣＭ作成画面の具体例を示す図である。
【図８】毎日ＣＭを利用していない場合のＣＭ料金確認画面、ＣＭ料金徴収画面の具体例を示す図である。
【図９】毎日ＣＭを利用している場合のＣＭ料金確認画面の具体例を示す図である。
【図１０】毎日ＣＭ利用期間登録画面の具体例を示す図である。
【図１１】ＣＭ料金確認画面、ＣＭ料金徴収画面の具体例を示す図である。
【図１２】毎日ＣＭ作成画面の具体例を示す図である。
【図１３】スケジュール管理画面の具体例を示す図である。
【図１４】毎日ＣＭパターン２の修正・削除画面の具体例を示す図である。
【図１５】地点情報と地図の表示画面の具体例を示す図である。
【図１６】店舗の概要情報表示画面の具体例を示す図である。
【図１７】ＵＲＬを提供したポータルサイトを選択する場合の具体例を示す図である。
【図１８】ポータルサイトが指示したＵＲＬにアクセスしたときの予約画面の具体例を示す図である。
【図１９】ポータルサイト識別子とマッチしたポータルサイトでの予約画面の具体例を示す図である。
【図２０】本実施例に係る広告配信システムのステップの流れを示す図である。
【符号の説明】
１・・・・広告配信者
１１・・・広告配信装置
１１ａ・・広告発信者受信部
１１ｂ・・情報提供者受信部
１１ｃ・・広告情報作成部
１１ｄ・・広告情報表示実行部
２・・・・車両搭乗者（情報受信者）
２１・・・情報受信端末
２１ａ・・広告配信装置受信部
２１ｂ・・画像表示部
２１ｃ・・要求情報入力部
２１ｄ・・広告発信者送信部
３・・・・情報提供者
３１・・・サーバ（情報提供者サーバ）
３１ａ・・広告配信者送信部
３１ｂ・・車両搭乗者受信部
４・・・・広告発信者
４１・・・情報発信端末
５・・・・携帯電話網
６・・・・デジタル放送網
７・・・・通信ネットワーク
【図１】
2004094503.tif 000003
【図２】
2004094503.tif 000004
【図３】
2004094503.tif 000005
【図４】
2004094503.tif 000006
【図５】
2004094503.tif 000007
【図６】
2004094503.tif 000008
【図７】
2004094503.tif 000009
【図８】
2004094503.tif 000010
【図９】
2004094503.tif 000011
【図１０】
2004094503.tif 000012
【図１１】
2004094503.tif 000013
【図１２】
2004094503.tif 000014
【図１３】
2004094503.tif 000015
【図１４】
2004094503.tif 000016
【図１５】
2004094503.tif 000017
【図１６】
2004094503.tif 000018
【図１７】
2004094503.tif 000019
【図１８】
2004094503.tif 000020
【図１９】
2004094503.tif 000021
【図２０】
2004094503.tif 000022